(57)【要約】【課題】放送局の放送受信機から送信されたデータを放送受信機で有効に利用することにより、同じ帯域で提供できるサービスを向上させた放送システムを提供することである。【解決手段】テレビ放送のデータを送信する放送送信機１０と、ハードディスクを備えた放送受信機２０とを含む放送システムにおいて、放送送信機１０は、再利用するデータには再利用を意味する固有の識別番号を付して送信し、再利用を指示する際は前記識別番号を送信し、放送受信機２０は、前記識別番号が付されたデータを前記ハードディスクに記録し、再利用の指示があった場合は指定された識別番号を有するデータを前記ハードディスクから読み出して再生する構成とする。【選択図】図１
2007266815.tif 000002
【特許請求の範囲】
【請求項１】
テレビ放送のデータを送信する放送送信機と、ハードディスクを備えた放送受信機とを含む放送システムにおいて、
前記放送送信機は、再利用するデータには再利用を意味する固有の識別番号を付して送信し、再利用を指示する際は前記識別番号を送信し、
前記放送受信機は、前記識別番号が付されたデータを前記ハードディスクに記録し、再利用の指示があった場合は指定された識別番号を有するデータを前記ハードディスクから読み出して再生することを特徴とする放送システム。
【請求項２】
画像や音声のデータを送信する放送送信機と、記録媒体を備えた放送受信機とを含む放送システムにおいて、
前記放送送信機は、再利用するデータには再利用情報を付して送信し、再利用を指示する際は前記再利用情報を送信し、
前記放送受信機は、前記再利用情報が付されたデータを前記記録媒体に記録し、再利用の指示があった場合は指定された再利用情報を有するデータを前記記録媒体から読み出して再生することを特徴とする放送システム。
【請求項３】
前記再利用情報が再利用を意味する固有の識別番号であることを特徴とする請求項２記載の放送システム。
【請求項４】
画像や音声のデータを送信する放送送信機において、
再利用するデータには再利用情報を付して送信し、再利用を指示する際は前記再利用情報を送信することを特徴とする放送送信機。
【請求項５】
記録媒体を備えた放送受信機において、
受信したデータに再利用情報が付されていた場合、該データを前記記録媒体に記録し、再利用の指示があった場合は指定された再利用情報を有するデータを前記記録媒体から読み出して再生することを特徴とする放送受信機。
【発明の詳細な説明】
【技術分野】
【０００１】
本発明は、放送送信機と放送受信機とを含むテレビ放送などの放送システムに関するものである。
【背景技術】
【０００２】
従来より、番組やコマーシャルを放送する放送システムには以下のようなものが提案されている。
【０００３】
例えば、特許文献１には、放映期間が終了した広告及び広告情報を提供する広告管理システムと、利用者端末とがネットワークを介して接続され、利用者端末は、通信手段を介して広告管理システムに接続するステップと、検索条件を送信するステップと、検索の結果存在する場合に該当する広告及び広告情報を受信するステップと、再生手段により受信した広告及び広告情報の再生を行うステップとを備える広告情報提供システムが開示されている。このように、特許文献１では、広告管理システム側に広告を蓄積している。
【０００４】
また特許文献２には、テレビジョン装置に強制蓄積用の記憶手段を設け、広告情報を選択受信し、蓄積するシステムが開示されている。
【０００５】
また特許文献３には、蓄積型データ放送を利用し、放送局は、割引額が決められた複数の広告番組と複数の有料番組を放送し、視聴者の受信機に内蔵された記憶装置に記憶させた後、視聴者が再生視聴する有料番組を選択する時に、有料番組と同時に視聴する広告情報を選択して、視聴者が、この広告番組と有料番組とを連続して視聴すると、有料番組の視聴料金から視聴した広告番組に応じた割引額が差し引かれて視聴者に課金される有料ＴＶ番組サービス方法が開示されている。
【０００６】
上記の特許文献１〜３は、広い意味で広告データをいかに有効に使うかに視点がおかれている。
【特許文献１】特開２００５−３４１１０４号公報
【特許文献２】特開２００４−１３５２７３号公報
【特許文献３】特開２００３−２０９８２２号公報
【発明の開示】
【発明が解決しようとする課題】
【０００７】
ところで、近年アナログ放送からデジタル放送への移行が進んでいる。デジタル放送は、画質を向上させたりデータ放送を付加したりするため、データ量が多くなり広い帯域が必要となる。従って、データ放送等の様々なサービスを付加しながら、放送局から送信するデータ量をいかに減らすかが重要な課題となる。送信するデータ量を少なくできれば、同じ帯域でより多くのサービスを提供することができる。
【０００８】
本発明は、放送局の放送受信機から送信されたデータを放送受信機で有効に利用することにより、同じ帯域で提供できるサービスを向上させた放送システムを提供することを目的とする。またこの放送システムを構成する放送送信機と放送受信機を提供することも目的とする。
【課題を解決するための手段】
【０００９】
上記目的を達成するために本発明は、画像や音声のデータを送信する放送送信機と、記録媒体を備えた放送受信機とを含む放送システムにおいて、
前記放送送信機は、再利用するデータには再利用情報を付して送信し、再利用を指示する際は前記再利用情報を送信し、
前記放送受信機は、前記再利用情報が付されたデータを前記記録媒体に記録し、再利用の指示があった場合は指定された再利用情報を有するデータを前記記録媒体から読み出して再生することを特徴とする。
【００１０】
この構成によると、再放送などの場合は、放送送信機から画像や音声のデータを送信しないので、その分、送信するデータ量が少なくなる。
【００１１】
上記の放送システムにおいて、前記再利用情報は再利用を意味する固有の識別番号とすることができる。
【００１２】
上記の発明を具体化すると、テレビ放送のデータを送信する放送送信機と、ハードディスクを備えた放送受信機とを含む放送システムにおいて、
前記放送送信機は、再利用するデータには再利用を意味する固有の識別番号を付して送信し、再利用を指示する際は前記識別番号を送信し、
前記放送受信機は、前記識別番号が付されたデータを前記ハードディスクに記録し、再利用の指示があった場合は指定された識別番号を有するデータを前記ハードディスクから読み出して再生する構成となる。
【００１３】
また本発明は、画像や音声のデータを送信する放送送信機において、
再利用するデータには再利用情報を付して送信し、再利用を指示する際は前記再利用情報を送信することを特徴とする。
【００１４】
また本発明は、記録媒体を備えた放送受信機において、
受信したデータに再利用情報が付されていた場合、該データを前記記録媒体に記録し、再利用の指示があった場合は指定された再利用情報を有するデータを前記記録媒体から読み出して再生することを特徴とする。
【発明の効果】
【００１５】
本発明によれば、再放送などの場合は、放送送信機から画像や音声のデータを送信しないので、その分、送信するデータ量が少なくなり、帯域に空きができる。空いた帯域にはデータ放送等の他の様々なサービスを付加することができる。従って、同じ帯域でより多くのサービスを提供することができる。また、新たなサービスは付加せずに、帯域に空きができた分だけ安定してデータを送受信することができるという考え方もある。
【発明を実施するための最良の形態】
【００１６】
本発明の放送システムは、画像や音声のデータを送信する放送送信機と、記録媒体を備えた放送受信機とを含むシステムであり、例えばテレビ放送システムに用いることができる。
【００１７】
図１は、放送送信機の要部構成を示すブロック図である。放送局に設置される放送送信機１０は、放送する番組が録画されたＤＶＤやビデテープ等の記録媒体を再生する記録媒体再生部１１と、データを伝送可能に多重化するＭＵＸ（multiplex）１２と、ＭＵＸ１２から出力されたデータをＱＡＭ等の変調方式により変調する変調器１３と、記録媒体１１とＭＵＸ１２の間に設けられ、記録媒体再生部１１から出力されたデータが再利用するデータか否かを判断する再利用判断部１４と、再利用判断部１４で再利用するデータであると判断された場合に再利用情報を生成する再利用情報生成部１５とを備えている。
【００１８】
図２は、放送受信機及びその周辺機器の要部構成を示すブロック図である。各家庭に設置される放送受信機２０として図２ではハードディスクドライブ（ＨＤＤ）一体型光ディスク装置を例に説明する。放送受信機２０には、テレビ等の表示装置２１と、ケーブルテレビや衛星放送等のセットトップボックス又はビデオデッキ等の映像音声記録装置に代表される外部装置２２とが接続されている。また放送受信機２０は、リモコン２３によって操作可能である。以下では、光ディスクとしてＤＶＤを例に説明する。
【００１９】
放送受信機２０は、テレビ放送信号を受信するアンテナ２５と、アンテナ２５で受信したテレビ放送信号を復調、デジタル化するチューナ２６と、チューナ２６や外部装置２２から受け取った画像音声データをＭＰＥＧ２等に準拠して圧縮符号化したり、ＨＤＤ記録再生部２８又はＤＶＤ記録再生部２９で再生された圧縮された画像データを伸長復号したりする画像音声圧縮伸長部２７と、画像音声圧縮伸長部２７から受け取った圧縮された画像音声データをＨＤＤに記録したり、ＨＤＤに記録されたデータを再生したりするＨＤＤ記録再生部２８と、画像音声圧縮伸長部１７から受け取った圧縮された画像音声データを挿入されたＤＶＤに記録したり、ＤＶＤに記録されたデータを再生したりするＤＶＤ記録再生部２９と、各種設定値を表示装置２１の一部に表示しながら設定できるようにするＯＳＤ（On Screen Display）部３０と、ＯＳＤ部３０からの画像信号をアナログ化し、表示装置２１へ出力する画像出力部３１と、画像音声圧縮伸長部２７からの音声信号をアナログ化し、表示装置へ出力する音声出力部３２と、ＲＯＭやＲＡＭからなるメモリ３３と、リモコン２３からの信号を受信するリモコン受信部３４と、外部装置２２が接続される外部Ｉ／Ｆ３５と、放送受信機２０の各部を制御する制御部３６とを備えている。
【００２０】
これらの放送送信機１０と放送受信機２０とを含む放送システムにおいては、放送送信機１０は、再利用するデータには再利用情報を付して送信し、再利用を指示する際は再利用情報を送信し、一方、放送受信機２０は、再利用情報が付されたデータをＨＤＤに記録し、再利用の指示があった場合は指定された再利用情報を有するデータをＨＤＤから読み出して再生する。
【００２１】
具体的には、まず放送送信機１０の記録媒体再生部１１において放送する番組が再生される。そのデータは再利用判断部１４で再利用するデータか否かが判断される。今後同じデータを送信する予定であれば再利用するデータであると判断する。これは、再放送する予定であったり、同じＣＭを流す予定であったり、番組中で同じオープニングやエンディングを流す予定であったりすれば、データを再利用すればよい。
【００２２】
再利用すると判断されたデータにはＭＵＸ１２で再利用情報が付加される。この再利用情報は再利用情報生成部１５で生成される。再利用情報は、例えば再利用を意味する固有の識別番号とすればよい。具体例としては、パケットＩＤ（ＰＩＤ）を特殊な番号としたり、固有の識別番号を実データに含めたりすることができる。
【００２３】
そして、ＭＵＸ１２から変調器１３に送られたデータはテレビ放送信号として放送受信機２０へ送信される。放送受信機２０では、受信したテレビ放送信号から再利用情報を検出し、再利用情報が付加されたデータは表示装置２１へ出力するとともに、ＨＤＤに記録する。ＨＤＤに記録された再利用するデータはユーザが消去できないようにする。再利用情報がＰＩＤに書き込まれている場合にはＨＤＤにデータとともに記録されるが、実データに固有の識別番号が付加されている場合は、その識別番号とデータの記録位置とを一覧にした管理テーブルを作成してメモリ３３などに格納しておく。これにより、いつでもＰＩＤや識別番号からデータを読み出すことができる。
【００２４】
次に、放送送信機１０において再放送などの理由で以前に再利用情報を付して出力したデータをもう一度放送する場合は、再利用情報生成部１５において以前に生成した再利用情報と同一の情報を生成し、ＭＵＸ１２でデータに付加する。ここで、再利用情報を付加するデータは画像や音声を含まず、再利用を指示するデータを含む。
【００２５】
そして、ＭＵＸ１２から変調器１３に送られたデータはテレビ放送信号として放送受信機２０へ送信される。放送受信機２０では、受信したテレビ放送信号から再利用情報を検出し、再利用の指示を認識する。そして、指定された再利用情報を有するデータをＨＤＤから読み出し、表示装置２１へ出力する。
【００２６】
この構成によれば、再放送などの場合は、放送送信機１０から画像や音声のデータを送信しないので、その分、送信するデータ量が少なくなる。そうすると帯域に空きができるので、データ放送等の他の様々なサービスを付加することができる。従って、同じ帯域でより多くのサービスを提供することができる。また、新たなサービスは付加せずに、帯域に空きができた分だけ安定してデータを送受信することができるという考え方もある。
【００２７】
なお本発明において、ＣＭなどの再利用するデータは深夜に送受信してＨＤＤに蓄積するようにすれば、日中にデータを再利用することができるので、より多くのサービスを提供することができる。
【産業上の利用可能性】
【００２８】
本発明は、テレビ放送などの放送システムに利用でき、放送受信機としては、ＨＤＤを備えたテレビ放送受信機やハードディスクレコーダが望ましいが、ビデオカセットレコーダやＤＶＤ等の光ディスク装置でも利用することは可能である。またそれらの複合機にも利用することができる。
【図面の簡単な説明】
【００２９】
【図１】放送送信機の要部構成を示すブロック図である。
【図２】放送受信機及びその周辺機器の要部構成を示すブロック図である。
【符号の説明】
【００３０】
１０    放送送信機
２０    放送受信機
【図１】
2007266815.tif 000003
【図２】
2007266815.tif 000004